(57)【要約】【課題】本発明は、再生時等の観賞時の大画面化と操作時のグリップ性向上を両立するとともに、指操作に起因する画面の汚れを防止することができるタッチパネル付き表示装置を提供する。【解決手段】電子カメラ１０のタッチパネル３８は、モニタ３２の表示画面から退避した収納位置と、モニタ３２の表示画面の一部を覆う引き出し位置とを選択可能である。電子カメラ１０は、電源スイッチ３０をＯＮにした状態でタッチパネル３８を収納位置に位置させると、ＣＰＵ５０により再生モードに切り替えられるとともに、モニタ３２の全表示画面に再生画像を表示する。また、タッチパネル３８を引き出し位置に位置させると、ＣＰＵ５０により撮影モードに切り替えられるとともに、タッチパネル３８が重なる部分を除く画面にスルー画像を表示する。【選択図】      図４
2006270626.tif 000002
【特許請求の範囲】
【請求項１】
表示画面を有する装置本体と、
前記表示画面の一部を覆う位置と表示画面から退避した位置とに移動可能なタッチパネルと、
を有することを特徴とするタッチパネル付き表示装置。
【請求項２】
前記装置本体は横長形状に形成され、前記表示画面は横長形状に形成され、前記タッチパネルは、前記装置本体に収納されるとともに収納位置と表示画面の一部を覆う位置との間で出し入れされることを特徴とする請求項１に記載のタッチパネル付き表示装置。
【請求項３】
記録・再生切替手段を有し、
前記記録・再生切替手段の切り替え動作に連動して前記タッチパネルは、前記表示画面の一部を覆う位置と表示画面から退避した位置との間で移動され、表示画面の一部を覆う位置において記録に関連する操作が可能となることを特徴とする請求項１又は２に記載のタッチパネル付き表示装置。
【請求項４】
前記タッチパネルは屈曲可能な材料により構成され、前記表示画面の前面の前記表示画面の一部を覆う位置から、表示画面の背面の前記表示画面の前面から退避した位置に屈曲されて移動されることを特徴とする請求項１、２又は３のうちいずれか一つに記載のタッチパネル付き表示装置。
【請求項５】
撮像部と該撮像部の前面を開閉するバリア部材とを有し、
前記バリア部材は、前記記録・再生切替手段の動作に連動して撮像部の前面を開放する位置と閉塞する位置とに移動されることを特徴とする請求項３又は４に記載のタッチパネル付き表示装置。
【請求項６】
前記タッチパネルは光透過性のタッチパネルであることを特徴とする請求項１、２、３、４又は５のうちいずれか一つに記載のタッチパネル付き表示装置。
【請求項７】
表示画面を有する装置本体と、
前記表示画面の一部を覆う第１の位置と、前記表示画面の一部よりも小さい面積を覆う第２の位置とに移動可能なタッチパネルと、
前記タッチパネルの前記第２の位置から第１の位置への移動に対応して前記表示画面の表示形態を変更する表示制御手段と、
を備えたことを特徴とするタッチパネル付き表示装置。
【請求項８】
表示画面を有する装置本体と、前記表示画面を覆う位置と表示画面から退避した位置とに移動可能なタッチパネルとを有し、
前記タッチパネルは屈曲可能な材料により構成され、前記表示画面の前面の前記表示画面の一部又は全部を覆う位置から、表示画面の背面の前記表示画面の前面から退避した位置に屈曲されて移動されることを特徴とするタッチパネル付き表示装置。
【発明の詳細な説明】
【技術分野】
【０００１】
本発明はタッチパネル付き表示装置に係り、特に表示画面上に位置するタッチパネルを操作することにより各種操作が可能なタッチパネル付き表示装置に関する。
【背景技術】
【０００２】
デジタルカメラ等の電子カメラ、カメラ付き携帯電話、携帯情報端末（ＰＤＡ）、携帯ゲーム機器等の機器においては液晶モニタ等の表示装置が設けられ、この表示装置の表示画面に、カメラにおいては撮影前のスルー画像や撮影した画像が映し出される。
【０００３】
ところで近年、上記のような機器の小型化が急速に進んでいるが、表示装置については、迫力のある見やすい画像を映し出すため、より大きな画面サイズが望まれている。この要求により、上記のような機器においては大画面の表示装置が搭載されているが、機器本体のサイズに対して表示画面の占める面積が大きくなると、撮影時に機器を握るグリップ部が小さくなるため、ユーザが機器を保持しにくくなり機器の操作性が低下するという欠点があった。また、機器を把持する手で表示画面を触ってしまい、画像の一部が見えなくなるという問題もあった。
【０００４】
そこで、このような問題を解決するため、本願出願人は特許文献１において、再生時に大画面モニタで迫力のある画像の再生を可能にするとともに、撮影時にカメラを把持する手によって隠れる表示画面の一部を画面が表示されないタッチパネルとして利用し、そのタッチパネルの部分をも保持可能とすることによりグリップ性を向上させたモニタ付きカメラを提案している。
【０００５】
特許文献１のカメラによれば、撮影時は表示画面上で構図を確認するだけであり画像を観賞する訳ではないので大画面は必要なく、むしろグリップ性を高めて撮影操作性を向上させたい理由から、タッチパネルをグリップ部として兼用し、また、画像に関しては、タッチパネルとして利用される以外の範囲の画面に縮小表示している。
【特許文献１】特開平１１−２８９４８４号公報
【発明の開示】
【発明が解決しようとする課題】
【０００６】
しかしながら、特許文献１のモニタ付きカメラは、撮影時において画像が映し出されない表示画面の一部をタッチパネルとして利用しているが、表示画面に直接触れて操作していることに違いはない。よって、再生時に画像が全画面に映し出された際に、タッチパネルとして利用された表示画面の一部が指操作によって汚れているため、その部分に写し出される画像が見難くなるという問題があった。
【０００７】
本発明はこのような事情に鑑みてなされたもので、再生時等の観賞時の大画面化と操作時のグリップ性向上を両立するとともに、指操作に起因する画面の汚れを防止することができるタッチパネル付き表示装置を提供することを目的とする。
【課題を解決するための手段】
【０００８】
請求項１に記載の発明は、前記目的を達成するために、表示画面を有する装置本体と、前記表示画面の一部を覆う位置と表示画面から退避した位置とに移動可能なタッチパネルと、を有することを特徴としている。
【０００９】
請求項１に記載の発明によれば、表示画面に画像を全表示する場合には、タッチパネルを表示画面から退避した位置に位置させる。これにより、表示時の大画面化を実現できる。また、装置本体をグリップし操作する場合には、タッチパネルを表示画面の一部を覆う位置に位置させ、このタッチパネルをグリップ部として兼用する。これにより、操作時のグリップ性が向上し、また、操作時には表示画面の一部を覆ったタッチパネルを触れるだけなので、指操作に起因する表示画面の汚れも防止できる。
【００１０】
請求項２に記載の発明は、請求項１において、前記装置本体は横長形状に形成され、前記表示画面は横長形状に形成され、前記タッチパネルは、前記装置本体に収納されるとともに収納位置と表示画面の一部を覆う位置との間で出し入れされることを特徴とする。
【００１１】
請求項２に記載の発明は、装置本体、表示画面の形状を特定したものであり、すなわち、装置本体は横長形状に形成され、表示画面は横長形状に形成されている。そして、タッチパネルは、装置本体に収納されるとともに、その収納位置と表示画面の一部を覆う位置との間で出し入れされる。タッチパネルを表示画面の右側方から出し入れすることにより、タッチパネルをグリップとして好適に利用できる。
【００１２】
請求項３に記載の発明は、請求項１又は２において、記録・再生切替手段を有し、前記記録・再生切替手段の切り替え動作に連動して前記タッチパネルは、前記表示画面の一部を覆う位置と表示画面から退避した位置との間で移動され、表示画面の一部を覆う位置において記録に関連する操作が可能となることを特徴としている。
【００１３】
請求項３に記載の発明によれば、記録・再生切替手段を記録側に切り替えると、その切り替え動作に連動してタッチパネルが表示画面の一部を覆う位置に位置し、その位置において記録に関連する操作が可能となる。また、記録・再生切替手段を再生側に切り替えると、その切り替え動作に連動してタッチパネルが表示画面から退避した位置に位置する。これにより、操作性が向上する。
【００１４】
請求項４に記載の発明は、請求項１、２又は３において、前記タッチパネルは屈曲可能な材料により構成され、前記表示画面の前面の前記表示画面の一部を覆う位置から、表示画面の背面の前記表示画面の前面から退避した位置に屈曲されて移動されることを特徴としている。
【００１５】
請求項４に記載の発明によれば、タッチパネルを屈曲可能な例えばプラスチックシートによって構成し、これを表示画面の前面の表示画面の一部を覆う位置から、表示画面の背面の表示画面の前面から退避した位置に屈曲させて移動させることにより、タッチパネルの収納スペースを省スペース化できるので、装置本体がコンパクトになる。
【００１６】
請求項５に記載の発明は、請求項３又は４において、撮像部と該撮像部の前面を開閉するバリア部材とを有し、前記バリア部材は、前記記録・再生切替手段の動作に連動して撮像部の前面を開放する位置と閉塞する位置とに移動されることを特徴としている。
【００１７】
請求項５に記載の発明によれば、記録・再生切替手段を記録側に切り替えると、その切り替え動作に連動してバリア部材が撮像部の前面を開放する位置に移動するので、撮像部によって画像を記録できる。また、記録・再生切替手段を再生側に切り替えると、その切り替え動作に連動してバリア部材が撮像部の前面を閉塞する位置に移動する。再生時には、撮像部は動作しないため、撮像部の前面をバリア部材によって閉塞し撮像部を保護する。このように、記録・再生切替手段に連動させてバリア部材を動作させることにより操作性が向上する。
【００１８】
請求項６に記載の発明は、請求項１、２、３、４又は５において、前記タッチパネルは光透過性のタッチパネルであることを特徴としている。
【００１９】
請求項６に記載の発明によれば、光透過性のタッチパネルとすることにより、タッチパネルによって覆われた画面をタッチパネルを介して見ることができ、また、タッチパネルによって覆われた画面に操作に対応した画像を表示させることにより、操作性の高いタッチパネル付き表示装置を提供できる。
【００２０】
請求項７に記載の発明は、前記目的を達成するために、表示画面を有する装置本体と、前記表示画面の一部を覆う第１の位置と、前記表示画面の一部よりも小さい面積を覆う第２の位置とに移動可能なタッチパネルと、前記タッチパネルの前記第２の位置から第１の位置への移動に対応して前記表示画面の表示形態を変更する表示制御手段と、を備えたことを特徴としている。
【００２１】
請求項７に記載の発明によれば、タッチパネルが表示装置の表示画面の一部を覆う位置と、この一部よりも小さい面積を覆う位置との間で移動可能に構成されており、このタッチパネルの移動に連動して表示画面における表示形態を表示切替手段によって切り替える。請求項７は、例えばカメラにおいては、大画面を必要としない撮影時に、表示画面の一部を覆う位置にタッチパネルを位置させることにより、グリップ部として利用される面積を広く確保することができるので、操作時のグリップ性を向上させることができる。また、操作時には表示画面の一部を覆ったタッチパネルを触れるだけなので、指操作に起因する表示画面の汚れも防止できる。そして、その時のスルー画像は、前記一部を除く画面に表示される。例えば、表示切替手段は、タッチパネルが表示装置の表示画面の一部を覆う位置に位置すると、前記一部を除く画面に画像を表示するように表示形態を切り替える。一方、再生時においては必要上最小限の操作ボタンをタッチパネルに設け、この操作ボタンが露出する位置、すなわち前記一部よりも小さい面積を覆う位置にタッチパネルを位置させるので、再生時に必要とする操作ボタンを確保しつつ再生時の大画面化を実現できる。例えば、表示切替手段は、タッチパネルが第１の位置から第２の位置に移動した際に、全表示画面に画像を表示するように表示形態を切り替える。
【００２２】
請求項８に記載の発明は、表示画面を有する装置本体と、前記表示画面を覆う位置と表示画面から退避した位置とに移動可能なタッチパネルとを有し、前記タッチパネルは屈曲可能な材料により構成され、前記表示画面の前面の前記表示画面の一部又は全部を覆う位置から、表示画面の背面の前記表示画面の前面から退避した位置に屈曲されて移動されることを特徴としている。
【００２３】
請求項８に記載の発明によれば、タッチパネルを屈曲可能な例えばプラスチックシートによって構成し、これを表示画面の前面の表示画面の一部又は全部を覆う位置から、表示画面の背面の表示画面の前面から退避した位置に屈曲させて移動させることにより、タッチパネルの収納スペースを省スペース化できるので、装置本体がコンパクトになる。タッチパネルによって、表示画面の全部を覆うことにより、表示画面をタッチパネルによって保護することができる。
【発明の効果】
【００２４】
本発明に係るタッチパネル付き表示装置によれば、表示画面に画像を全表示する場合には、タッチパネルを表示画面から退避した位置に位置させたので、表示時の大画面化を実現できる。また、装置本体をグリップし操作する場合には、タッチパネルを表示画面の一部を覆う位置に位置させ、このタッチパネルをグリップ部として兼用したので、操作時のグリップ性が向上し、また、操作時には表示画面の一部を覆ったタッチパネルを触れるだけなので、指操作に起因する表示画面の汚れも防止できる。
【発明を実施するための最良の形態】
【００２５】
以下、添付図面に従って本発明に係るタッチパネル付き表示装置の好ましい実施の形態について説明する。
【００２６】
なお、以下の説明では、本発明のタッチパネル付き表示装置を電子カメラに適用した例について説明するが、本発明はこれに限定されるものではなく、携帯電話や携帯情報端末（ＰＤＡ）、ポケットＰＣ等の携帯ＰＣ、タッチパネルを備える携帯ゲーム機器、ＨＤＤオーディオプレーヤー等に適用可能である。
【００２７】
図１は本発明が適用された電子カメラ１０の正面図であり、図２はその背面図である。これらの図の如く、電子カメラ１０の正面左上隅部には撮像部１２が設けられ、撮像部１２の撮影レンズ１４の後方にはＣＣＤ（不図示）が配置される。また、撮影レンズ１４の前面を開放、閉塞するレンズバリア（バリア部材）１６が内設されている。このレンズバリア１６は、図２に示した記録・再生切替レバー（記録・再生切替手段）１８による記録・再生切り替え動作に連動して動作するように、不図示の連動機構を介して記録・再生切替レバー１８に連結されている。
【００２８】
図１の如く撮像部１２を含むカメラ本体２０の左側の部分は、撮影者が右手でカメラ本体２０を把持し易いように前方に膨らんだグリップ部２２が形成されている。このカメラ本体２０は横長形状に形成され、その上面にはシャッターボタン２４、及びコマ送り／コマ戻しボタン２６が配置される。更に、カメラ本体２０の正面右上隅部にはストロボ発光部２８が設けられている。
【００２９】
グリップ部２２の背面側には、図２、図３の如く主電源のＯＮ／ＯＦＦ切り換えを行う電源スイッチ３０が配置される。電源スイッチ３０は、カメラ本体２０の背面に沿って上下方向に摺動自在に取り付けられ、図示しない付勢手段によってカメラ本体２０の上向き側に付勢されている。すなわち、電源スイッチ３０を図２上で下方向にスライド操作することにより電源がＯＮ／ＯＦＦされる。
【００３０】
電子カメラ１０の背面には、横長形状のモニタ（表示画面）３２が設けられる。このモニタ３２は、液晶ディスプレイ（ＬＣＤ）によって構成され、横長のカメラ本体２０の大きさに対して可能な限り横長大画面のものが用いられ、図２に示すフル画面において標準サイズ（縦横比３：４）の画像を表示することができる。また、モニタ３２は、図４に示した形態において、標準サイズの画像を縮小表示することもできる。なお、図３において符号３４は電子回路が実装されたカメラ基板であり、符号３６は内蔵の充電可能なバッテリである。
【００３１】
一方、図４の如くモニタ３２に隣接した右側方には、矩形状のタッチパネル３８が設けられる。タッチパネル３８は屈曲可能なシート、例えばプラスチックシートによって構成され、図３の如くカメラ本体２０の側部に内設された一対のローラ４０、４０に掛けられて、図４、図５に示すモニタ３２の前面のモニタ３２の右側部（一部）を覆う引き出し位置と、図２、図３に示すモニタ３２の側面及び背面のモニタ３２の画面から退避した収納位置との間で屈曲されて移動される。また、タッチパネル３２は、不図示の付勢部材によって収納方向（図３、図５に示した矢印Ａ方向）に付勢されている。このような形態でタッチパネル３８をカメラ本体２０内に配設することにより、タッチパネル３８の収納スペースを省スペース化でき、カメラ本体２０のコンパクト化を図ることができる。なお、タッチパネル３８は、屈曲可能な材料であればよくプラスチックシートの他、有機ＥＬ（Electro Luminescence）、無機ＥＬ等も適用できる。
【００３２】
このタッチパネル３８には、撮影時に操作するズームテレボタン４２、ズームワイドボタン４４、マクロ撮影切替ボタン４６、ストロボ発光ボタン４８等が所定の位置に配置されている。これらのボタン４２〜４８から受入する信号に応じて、図６に示すＣＰＵ５０はモニタ３２に表示する内容を変更する。なお、これらのボタン４２〜４８による指の検出方式としては抵抗膜式、静電容量式、超音波式、及び光学式等の各種手段を用いることができる。
【００３３】
また、タッチパネル３８を移動操作する記録・再生切替レバー１８が図２〜図５の如くカメラ本体２０の背面上部に設けられている。記録・再生切替レバー１８は、カメラ本体２０に水平方向に形成されたスリット５２に沿ってスライド移動自在に取り付けられるとともにタッチパネル３８に不図示の連結具を介して連結されている。このスリット５２に沿って記録・再生切替レバー１８は、図２、図３に示す再生位置と図４、図５に示す撮影位置との間でスライド移動されるとともに、前記再生位置及び撮影位置に不図示のクリック機構によって係止される。これによりタッチパネル３８は、図２、図３に示した収納位置と、図４、図５に示した引き出し位置に前記付勢部材の付勢力に抗して保持される。
【００３４】
また、電子カメラ１０には、記録・再生切替レバー１８が図２、図３に示した再生位置に位置したこと、及び図４、図５に示した撮影位置に位置したことを検出する位置センサ５４が図６の如く設けられている。この位置センサ５４からのタッチパネル３８の位置を示す信号が、電子カメラ１０を統括・制御するＣＰＵ５０に出力される。
【００３５】
位置センサ５４からＣＰＵ５０に前記再生位置に位置したことを示す信号が出力されると、ＣＰＵ５０はモードが再生モードであることを認識する。また、位置センサ５４からＣＰＵ５０に前記撮影位置に位置したことを示す信号が出力されると、ＣＰＵ５０はモードが再生モードから撮影モードに切り替えられたことを認識する。ＣＰＵ５０は、再生位置を示す信号が入力されると、モニタ３２に表示される画像を図２、図３の標準サイズに設定し、また、撮影位置を示す信号が入力されると、モニタ３２に表示される画像を図４、図５の標準サイズの縮小サイズに設定する。すなわち、ＣＰＵ５０は、表示切替手段の機能を有している。
【００３６】
図４、図５に示した画像の縮小サイズは、引き出し位置に位置したタッチパネル３８によって画像が隠れないサイズに設定されているが、光透過性のタッチパネル３８であれば、タッチパネル３８によって隠れた画像をタッチパネル３８を介して見ることができるので、画像サイズを縮小サイズに変更する必要はない。また、タッチパネル３８によって覆われた画面に、操作に対応した画像を表示させることにより操作性が更に向上する。
【００３７】
図６は、電子カメラ１０の全体構成を示したブロック図である。
【００３８】
同図に示すようにＣＰＵ５０は、バス５５を介して電子カメラ１０の各ブロックに接続されており、タッチパネル３８及び操作スイッチ５６からの操作入力に基づいて各ブロックを統括制御する。
【００３９】
操作スイッチ５６は、シャッターボタン２４、コマ送り／コマ戻しボタン２６、電源スイッチ３０を含み、電子カメラ１０に操作入力を行うためのブロックである。なお、シャッターボタン２４は２段階に構成されており、「半押し」によりＳ１＝ＯＮ信号が発生し、「全押し」によりＳ２＝ＯＮ信号が発生する。発生したＳ１＝ＯＮ信号及びＳ２＝ＯＮ信号はＣＰＵ５０に入力され、ＣＰＵ５０はこのＳ１＝ＯＮ信号とＳ２＝ＯＮ信号によりシャッターボタン２４の押下状態を検出する。
【００４０】
ＥＥＰＲＯＭ５７には、電子カメラ１０の制御プログラムや制御に必要な各種の設定データ等が格納されている。電源回路５８は、電子カメラ１０の各ブロックに電源を供給する。ストロボ２８は、タッチパネル３８のストロボ発光ボタン４８の操作に基づくＣＰＵ５０からのストロボ発光命令に基づきストロボ発光回路６０により発光制御される。
【００４１】
電子カメラ１０は、撮像手段として撮影レンズ１４、アイリス６２、ＣＣＤ６４を備える。撮影レンズ１４のフォーカシングは、撮影レンズ１４を構成するフォーカスレンズをフォーカスモータ６６によって移動させることにより行われ、ズーミングは、撮影レンズ１４を構成するズームレンズをズームモータ６８で移動させることにより行われる。フォーカスモータ６６とズームモータ６８は、それぞれフォーカスモータドライバ７０とズームモータドライバ７２により駆動制御される。ＣＰＵ５０は、フォーカスモータドライバ７０に制御信号を出力して制御するとともに、タッチパネル３８のズームテレボタン４２、ズームワイドボタン４４、マクロ撮影切替ボタン４６からの操作信号に基づいてズームモータドライバ７２に制御信号を出力して制御する。
【００４２】
絞り６２は、いわゆるターレット型絞りで構成されており、例えばＦ２．８からＦ８の絞り孔が穿孔されたターレット板を回転させて絞り値（Ｆ値）を変化させる。この絞り６２の駆動はアイリスモータ７４によって行なわれる。アイリスモータ７４はアイリスモータドライバ７６により駆動制御される。ＣＰＵ５０は、このアイリスモータドライバ７６に制御信号を出力して制御する。
【００４３】
被写体を示す画像光は、撮影レンズ１４及び絞り６２を介してＣＣＤ６４の受光面上に結像される。ＣＣＤ６４の受光面には多数のフォトセンサが配列され、この受光面に結像された被写体の光学像は、各フォトセンサによって入射光量に応じた量の信号電荷に変換される。各フォトセンサに蓄積された信号電荷は、タイミングジェネレータ（ＴＧ）７８から与えられるタイミングパルスに従って順次読み出され、信号電荷に応じた電圧信号としてアナログ信号処理回路８０に出力される。
【００４４】
なお、このＣＣＤ６４には電荷掃き出しドレインが備えられ、この電荷掃き出しドレインに各フォトセンサに蓄積された信号電荷を掃き出すことにより、各フォトセンサに蓄積される信号電荷の蓄積時間（シャッタ速度）が制御される。
【００４５】
アナログ信号処理回路８０は、相関二重サンプリング処理回路（ＣＤＳ）及び増幅器（ＡＭＰ）を含んでいる。ＣＣＤ６４から順次読み出された電圧信号は、アナログ信号処理回路８０によって画素ごとのＲ、Ｇ、Ｂ信号がサンプリングホールドされて増幅され、Ａ／Ｄ変換器８２に加えられる。
【００４６】
Ａ／Ｄ変換器８２は、順次入力されるアナログのＲ、Ｇ、Ｂ信号をデジタルのＲ、Ｇ、Ｂ信号に変換して出力し、Ａ／Ｄ変換器８２から出力されたデジタルのＲ、Ｇ、Ｂ信号は画像入力コントローラ８４を介してメモリ（ＳＤＲＡＭ）８６に一時格納される。そして、このＲ、Ｇ、Ｂ信号はこのＳＤＲＡＭ８６から画像信号処理回路８８に出力される。
【００４７】
画像信号処理回路８８は、入力された画像信号に対してオフセット処理、ホワイトバランス補正及び感度補正を含むゲイン・コントロール処理、ガンマ補正処理等の所定の信号処理を行い、その処理後の画像データをＶＲＡＭ９０に出力する。
【００４８】
ＶＲＡＭ９０には、それぞれ１コマ分の画像データが記憶可能なＡ領域とＢ領域とが含まれており、Ａ領域とＢ領域とに１コマ分の画像データが交互に書き換えられる。そして、書き換えられた画像データが交互に読み出される。
【００４９】
ＶＲＡＭ９０から読み出された画像データは、ビデオエンコーダ９２によりエンコーディングされ、カメラ１０のモニタ３２に出力される。モニタ３２は、液晶駆動回路９４によって制御され、バックライトユニット９６によりモニタ３２の裏面から照明される。ユーザは、撮影時においてモニタ３２に表示されたスルー画像をもとに構図を決定し、ピント状態を確認する。このスルー画像が図４に示した縮小サイズの画像である。なお、光透過性のタッチパネル３８を適用した場合には、スルー画像は図２に示した拡大サイズの画像となる。
【００５０】
図４に示した撮影モードにおいて、シャッターボタン２４が半押し（Ｓ１＝ＯＮ）されると、自動露出調整（ＡＥ）及びオートフォーカス（ＡＦ）が作動する。すなわち、Ａ／Ｄ変換器８２から出力される画像データが、画像入力コントローラ８４を介してＡＥ・ＡＷＢ検出回路９８並びにＡＦ検出回路１００に入力される。
【００５１】
ＡＥ・ＡＷＢ検出回路９８は、例えば、撮像領域を６４分割（水平８、垂直８）して得られる分割領域ごとにＲ、Ｇ、Ｂの画像データをＲ、Ｇ、Ｂごとに積算し、分割領域ごとのＲ、Ｇ、Ｂごとの積算データをＣＰＵ５０に出力する。
【００５２】
ＡＦ検出回路１００は、あらかじめ設定された特定のフォーカスエリア（たとえば、撮像領域の中央）内における画像のコントラストをあらわすコントラスト評価値を算出し、そのコントラスト評価値をＣＰＵ５０に出力する。
【００５３】
ＣＰＵ５０は、ＡＦ検出回路１００から入力されたコントラスト情報に基づいてフォーカスモータドライバ７０に制御信号を出力し、撮影レンズ１４をＡＦ制御して、主要被写体にピントを合わせる。
【００５４】
また、ＣＰＵ５０は、ＡＥ・ＡＷＢ検出回路９８から入力された積算データに基づいて被写体の明るさ（ＥＶ値）を算出し、このＥＶ値に基づいて絞り６２の絞り値（Ｆ値）及びＣＣＤ６４のシャッタ速度（電荷蓄積時間）を決定する。
【００５５】
ＡＥ及びＡＦが完了し、シャッターボタン２０が全押し（Ｓ２＝ＯＮ）されると、ＣＰＵ５０は、決定した絞り値（Ｆ値）に基づいてアイリスモータドライバ７６に駆動信号を出力し、決定した絞り値（Ｆ値）の絞り径となるように絞り６２を駆動制御するとともに、決定したシャッタ速度となるようにＣＣＤ６４の電荷蓄積時間を制御する。
【００５６】
このようにして取り込まれた１コマ分の画像データは、アナログ信号処理回路８０、Ａ／Ｄ変換器８２を介して画像入力コントローラ８４からＳＤＲＡＭ８６に入力され、ここに一時的に記憶される。そして、ＳＤＲＡＭ８６から画像信号処理回路８８に読み出され、ここで輝度データ及び色差データの生成処理（ＹＣ処理）を含む所定の信号処理が行われる。
【００５７】
信号処理後の画像データは、一旦ＳＤＲＡＭ８６に記憶されたのち、圧縮伸張処理回路１０２に出力され、ここでＪＰＥＧ（Joint Photographic Experts Group）等の所定の圧縮処理が実行される。そして、画像データは再びＳＤＲＡＭ８６に一時的に格納されたのち、メモリコントローラ１０４によって読み出され、カードスロットに装着された記録メディア１０６に記録される。なお、画像データの記録形式はＪＰＥＧ方式に限定されず、ＭＰＥＧその他の記録方式を採用してもよい。また、画像データを保存するための手段は、記録メディア１０６に代表される半導体メモリに限定されず、磁気ディスク、光ディスク、光磁気ディスクなど、種々の媒体を用いることができる。また、これらのリムーバブルメディアに限らず、電子カメラ１０に内蔵された記録媒体（内部メモリ）に画像データが記録されるようにしてもよい。
【００５８】
このようにして撮影、記録された画像データは、記録・再生切替レバー１８の操作により動作モードが再生モードに切り替えられると、図２、図３の如くモニタ３２上にフル画面表示される。再生モード時には、記録メディア１０６に記録されている画像データがＳＤＲＡＭ８６に読み出され、ＳＤＲＡＭ８６から圧縮伸張処理回路１０２に出力される。そして、圧縮伸張処理回路１０２で伸張処理が施され、処理後の画像データがＳＤＲＡＭ８６に一時格納されたのち、ビデオエンコーダ９２を介してモニタ３２に出力される。これにより、記録メディア１０６に記録されている画像データがモニタ３２上に再生表示される。ユーザはコマ送り／コマ戻しボタン２６を操作することにより、再生画像のコマ送りやコマ戻しを行うことができる。
【００５９】
また、再生モード時に、ＰＣ、テレビ等の外部ディスプレイがビデオ入出力端子１０８を介して電子カメラ１０に接続されている場合には、記録メディア１０６に記録されている画像データはビデオ出力回路１１０により処理されて、この外部ディスプレイに再生表示される。また、電子カメラ１０は、外部接続インターフェース部（Ｉ／Ｆ）１１２により図示せぬクレードルを介してパーソナルコンピュータ等の外部機器に接続される。
【００６０】
次に、前記の如く構成された電子カメラ１０の作用について説明する。
【００６１】
電子カメラ１０の背面に設けられたタッチパネル３８は、図２、図３の如くモニタ３２の表示画面から退避した収納位置と、図４、図５の如くモニタ３２の表示画面の一部を覆う引き出し位置とを選択可能である。そして、電子カメラ１０は、電源スイッチ３０をＯＮにした状態で、記録・再生切替レバー１８によりタッチパネル３８を図２、図３の収納位置に位置させると、図６のＣＰＵ５０により再生モードに切り替えられるとともに、モニタ３２の全表示画面に再生画像を表示するように表示形態が拡大した標準サイズに切り替えられる。また、記録・再生切替レバー１８によってタッチパネル３８を図４、図５の引き出し位置に位置させると、ＣＰＵ５０により撮影モードに切り替えられるとともに、タッチパネル３８が重なる部分を除く画面にスルー画像を表示するように表示形態が縮小した標準サイズに切り替えられる。更に、縮小した標準サイズの下の余った画面１２０には、撮影時のチャプターナンバー、Ｆ値、シャッタスピード等が文字表示される。
【００６２】
このように、構図を決めるだけの大画面を必要としない撮影モード時に、タッチパネル３８をモニタ３２の表示画面の一部を覆う引き出し位置に位置させることにより、グリップ部として利用される面積をタッチパネル３８の引き出し面積分だけ広くとることができる。よって、電子カメラ１０の撮影時におけるグリップ性を向上させることができる。また、操作時にはモニタ３２の一部を覆ったタッチパネル３８の各ボタン４２〜４８を触れるだけなので、指操作に起因するモニタ３２の汚れも防止できる。
【００６３】
更にまた、図２、図３に示す画像の再生時には、タッチパネル３８はモニタ３２の表示画面から完全に退避した収納位置に位置するので、再生時の大画面化を実現でき、モニタ３２には拡大された標準サイズの画像がフル画面表示される。よって、迫力のある画像を観賞できる。
【００６４】
また、実施の形態の電子カメラ１０は、カメラ本体２０が横長形状に形成され、モニタ３２も横長形状に形成されている。そして、タッチパネル３８は、カメラ本体２０に収納されるとともに、その収納位置と表示画面の一部を覆う引き出し位置との間で出し入れされる。図４の如く、タッチパネル３８をモニタ３２の右側方から出し入れすることにより、タッチパネル３８をグリップとして好適に利用できる。
【００６５】
更に、実施の形態の電子カメラ１０は、図１の如くレンズバリア１６を有し、記録・再生切替レバー１８を再生位置から撮影位置にスライドさせると、そのスライド動作に連動してレンズバリア１６が撮影レンズ１４の前面を開放する位置に移動する。よって、撮像部１２による撮像が可能となる。また、記録・再生切替レバー１８を撮影位置から再生位置にスライドさせると、そのスライド動作に連動してレンズバリア１６が撮影レンズ１４の前面を閉塞する位置に移動する。再生時には、撮像部１２は動作しないため、撮影レンズ１４の前面をレンズバリア１６によって閉塞し撮像部１２を保護する。このように記録・再生切替レバー１８にスライド操作に連動させてレンズバリア１６を動作させることにより操作性が向上する。
【００６６】
図７、図８は他の実施の形態の電子カメラ２００が示され、図１〜図６に示した電子カメラ１０と同一又は類似の部材については同一の符号を付して説明する。
【００６７】
図７に示す電子カメラ２００は、記録・再生切替レバー１８が電源スイッチの機能を有するとともに、図７（Ａ）に示す電源ＯＦＦ位置、及び図７（Ｃ）に示す電源ＯＮ・撮影位置（表示画面の一部を覆う第１の位置）にて係止される他、図７（Ｂ）及び図８に示す電源ＯＮ・再生操作位置（表示画面の一部よりも小さい面積を覆う第２の位置）において係止される形態のカメラである。
【００６８】
また、記録・再生切替レバー１８のスライド操作に連動されるタッチパネル１５２には、図７（Ｃ）の電源ＯＮ・撮影位置で露出するズームテレボタン４２、ズームワイドボタン４４、マクロ撮影切替ボタン４６、ストロボ発光ボタン４８の他、図７（Ｂ）及び図８の電源ＯＮ・再生操作位置で露出するピクチャーサーチボタン２０２、一時停止ボタン２０４、早送り／巻き戻しボタン２０６等の再生時に最小限必要とするボタンが配置されている。
【００６９】
このように構成された電子カメラ２００によれば、大画面を必要としない図７（Ｃ）の撮影時に、モニタ３２の一部を覆う位置にタッチパネル２３８を位置させることにより、グリップ部として利用される面積を広く確保することができる。よって、操作時のグリップ性を向上させることができる。
【００７０】
また、操作時にはモニタ３２の一部を覆ったタッチパネル２３８を触れるだけなので、指操作に起因する表示画面の汚れも防止できる。そして、その時のスルー画像は、前記一部を除く画面に表示される。すなわち、この電子カメラ２００のＣＰＵ（不図示）は、タッチパネルがモニタ３２の表示画面の一部を覆う位置に位置すると、前記一部を除く画面にスルー画像を表示するように表示形態を切り替える。
【００７１】
一方、図７（Ｂ）及び図８に示す再生時においては、再生操作上、必要上最小限の操作ボタン２０２、２０４、２０６のみが露出する位置にタッチパネル２３８が位置するので、再生時に必要とする操作ボタン２０２、２０４、２０６を確保しつつ再生時の大画面化を実現できる。
【００７２】
図９は、タッチパネル２３８とシャッターボタン２２４との関係を示している。同図によれば、シャッターボタン２２４は、タッチパネル２３８の図９（Ａ）に示す電源ＯＦＦ位置においてタッチパネル２３８によって覆われているため操作不能である。また、シャッターボタン２２４は、タッチパネル２３８の図９（Ｂ）に示す電源ＯＮ位置、図９（Ｃ）に示す電源ＯＮ・再生操作位置においても、継続してタッチパネル２３８により覆われているため操作不能である。そして、タッチパネル２３８が図９（Ｄ）に示す電源ＯＮ・撮影位置に位置した時に、タッチパネル２３８がシャッターボタン２２４の上方を通過し、シャッターボタン２２４がカメラ本体２０の開口部２１から露出するので操作可能となる。
【００７３】
このようにタッチパネル２３８とシャッターボタン２２４とを構成することにより、撮影時のみシャッターボタン２２４の操作が許されるため、シャッターボタン２２４の誤操作を防止することができる。
【００７４】
また、タッチパネル２３８によって、モニタ３２の全部を覆うことにより、モニタ３２をタッチパネル２３８によって保護することができる。
【図面の簡単な説明】
【００７５】
【図１】本発明の実施の形態に係る電子カメラの正面図
【図２】図１に示した電子カメラの背面図であって再生モード時の説明図
【図３】図２に示した電子カメラの一部断面を含む斜視図
【図４】図１に示した電子カメラの背面図であって撮影モード時の説明図
【図５】図４に示した電子カメラの一部断面を含む斜視図
【図６】図１に示した電子カメラの全体構成をブロックで示した説明図
【図７】本発明の他の実施の形態に係る電子カメラの一部断面を含む説明図
【図８】図７（Ａ）の状態を示した正面図
【図９】タッチパネルとシャッターボタンとの関係を示した説明図
【符号の説明】
【００７６】
１０…電子カメラ、１２…撮像部、１４…撮影レンズ、１６…レンズバリア、１８…記録・再生切替レバー、２０…カメラ本体、２２…グリップ部、２４…シャッターボタン、２６…コマ送り／コマ戻しボタン、２８…ストロボ、３０…電源スイッチ、３２…モニタ、３８…タッチパネル、４２…ズームテレボタン、４４…ズームワイドボタン、４６…マクロ撮影切替ボタン、４８…ストロボ発光ボタン、５０…ＣＰＵ、２００…電子カメラ、２０２…ピクチャーサーチボタン、２０４…一時停止ボタン、２０６…早送り／巻き戻しボタン、２３８…タッチパネル
【図１】
2006270626.tif 000003
【図２】
2006270626.tif 000004
【図３】
2006270626.tif 000005
【図４】
2006270626.tif 000006
【図５】
2006270626.tif 000007
【図６】
2006270626.tif 000008
【図７】
2006270626.tif 000009
【図８】
2006270626.tif 000010
【図９】
2006270626.tif 000011